(57)【要約】【課題】冷却水を噴射するノズルの数量を減らすことができる直接接触式復水器を提供する。【解決手段】内部空間が設けられ、内部空間にタービン排気が導入される復水器本体と、復水器本体の内部空間に立設され、復水器本体の内部空間に導入されたタービン排気に冷却水を散水する散水管２３と、を備え、散水管２３は、冷却水を噴射するノズル２４が軸方向に間隔を開けて複数設けられた散水管本体２５と、散水管本体２５に摺動可能な筒状に形成され、ノズル２４を開閉する開閉体２６と、開閉体２６を摺動させ、ノズル２４を開閉させる駆動機構２８と、を有する。【選択図】図６
2015121368.tif 000002
【特許請求の範囲】
【請求項１】
内部空間が設けられ、該内部空間にタービン排気が導入される復水器本体と、
前記復水器本体の内部空間に立設され、前記復水器本体の内部空間に導入されたタービン排気に冷却水を散水する散水管と、
を備え、
前記散水管は、
前記冷却水を噴射するノズルが軸方向に間隔を開けて複数設けられた散水管本体と、
前記散水管本体に対して摺動可能な筒状に形成され、前記ノズルを開閉する開閉体と、
前記開閉体を摺動させ、前記ノズルを開閉させる駆動機構と、
を有することを特徴とする直接接触式復水器。
【請求項２】
前記開閉体は、
軸方向に間隔を開けて設けられた複数のノズルを下方から順次閉鎖することを特徴とする請求項１に記載の直接接触式復水器。
【請求項３】
前記開閉体は、
軸方向に間隔を開けて設けられた複数のノズルのうち、少なくとも二つを同時に閉鎖する単一体で構成されたことを特徴とする請求項１または２に記載の直接接触式復水器。
【請求項４】
前記開閉体は、
軸方向に間隔を開けて設けられた複数のノズルを個別に閉鎖する個別体で構成されたことを特徴とする請求項１または２に記載の直接接触式復水器。
【請求項５】
前記開閉体は、
軸方向に間隔を開けて設けられた複数のノズルのうち、下方域に設けられたもののみを閉鎖することを特徴とする請求項１〜４のいずれか一項に記載の直接接触式復水器。
【請求項６】
前記開閉体は、
前記散水管本体に設けられた第１のノズルと重なる第１の貫通孔と、
前記第１のノズルと前記第１の貫通孔とが重なった状態で、前記第１のノズルの上方域に設けられた第２のノズルと重なり、前記第１の貫通孔が前記第１のノズルから外れた状態でも前記第２のノズルと重なる第２の貫通孔と、
を有することを特徴とする請求項１に記載の直接接触式復水器。
【発明の詳細な説明】
【技術分野】
【０００１】
本発明は、タービン排気に冷却水を噴射混合することにより、タービン排気に含まれる水蒸気を復水する直接接触式復水器に関するもので、特に、運転を中止しなくても冷却水を噴射するノズルの数量を減らすことができる直接接触式復水器に関する。
【背景技術】
【０００２】
内部空間にタービン排気が導入される復水器本体と、復水器本体の内部空間に立設された散水管と、を備え、散水管に設けられた多数のノズルからタービン排気に冷却水を噴射する直接接触式復水器が広く知られている。この復水器によれば、散水管に設けられた多数のノズルから復水器本体の内部空間に導入されたタービン排気に冷却水が噴射され、タービン排気に含まれる水蒸気が復水される（例えば、特許文献１参照）。
【０００３】
地熱により生成された天然の蒸気を用いて回転するタービンと、内部空間にタービン排気を導入するとともにタービン排気に冷却水を噴射し、タービン排気に含まれる水蒸気を復水する復水器と、復水器で復水された水を貯留し、冷却水を生成する冷却塔と、を備えた地熱発電プラントが広く知られている。この地熱発電プラントには、復水器で復水された水を冷却塔に回収する回収水管と、冷却塔で生成された冷却水を復水器に供給する供給水管と、が設けられ、供給水管にポンプが設置される。この発電プラントによれば、タービン排気に冷却水を噴射するノズルの要求圧力が確保される（例えば、特許文献２参照）。
【０００４】
内部空間にタービン排気が導入される復水器本体と、復水器本体の内部空間に水平に設けられた散水管と、を備え、散水管に設けられた多数のノズルからタービン排気に冷却水を噴射する直接接触式復水器が知られている。この復水器は、散水管それぞれが設置される高さに対応する水圧の相違を均一化するために、散水管の内径を散水管が設置される高さに対応するものとしたり、散水管の内部に散水管が設置される高さに対応する絞りを設けたりしている（例えば、特許文献３参照）。
【先行技術文献】
【特許文献】
【０００５】
【特許文献１】実開６３−１４２５７５号公報
【特許文献２】特開２０１３−７９６０３号公報
【特許文献３】特開２０１２−１１７７４０号公報
【発明の概要】
【発明が解決しようとする課題】
【０００６】
ところで、地熱発電プラントは、長年の運用により開業当初よりも地熱蒸気の圧力や地熱蒸気の噴出量が減衰することがある。このような場合には、冷却塔と復水器とを循環する冷却水の水量を減らすとともに、冷却水を噴射するノズルの数量を減らし、補機動力を削減することが好ましい。
しかしながら、冷却水を噴射するノズルの数量を減らすには復水器の運転を中止した状態でノズルに蓋を設置する必要があり、復水器の運転を中止することなく、冷却水を噴射するノズルの数量を減らすことができなかった。
本発明は、上記実情に鑑みて、運転を中止しなくても冷却水を噴射するノズルの数量を減らすことができる直接接触式復水器を提供することを目的とする。
【課題を解決するための手段】
【０００７】
本発明は、内部空間が設けられ、該内部空間にタービン排気が導入される復水器本体と、前記復水器本体の内部空間に立設され、前記復水器本体の内部空間に導入されたタービン排気に冷却水を散水する散水管と、を備え、前記散水管は、前記冷却水を噴射するノズルが軸方向に間隔を開けて複数設けられた散水管本体と、前記散水管本体に対して摺動可能な筒状に形成され、前記ノズルを開閉する開閉体と、前記開閉体を摺動させ、前記ノズルを開閉させる駆動機構と、を有することを特徴とする。
本発明によれば、駆動機構が開閉体を摺動させ、ノズルを開閉させるので、運転を中止しなくても冷却水を噴射するノズルの数量を減らすことができる。これにより、地熱蒸気の圧力や地熱蒸気の噴出量が減衰した場合に、復水器の運転を中止しなくても、冷却塔と復水器とを循環する冷却水の水量を減らすとともに、冷却水を噴射するノズルの数量を減らすことができる。これにより、復水器の運転を中止しなくても補機動力を削減できる。
【０００８】
本発明の一態様では、前記開閉体は、軸方向に間隔を開けて設けられた複数のノズルを下方から順次閉鎖することが好ましい。
このようにすれば、タービン排気の凝縮に効率のよいノズルを開放したままにし、非効率なノズルを閉鎖することができるので、タービン排気を効率的に凝縮することができる。
【０００９】
本発明の一態様では、前記開閉体は、軸方向に間隔を開けて設けられた複数のノズルのうち、少なくとも二つを同時に閉鎖する単一体で構成されることが好ましい。
このようにすれば、単一体で構成された開閉体が少なくとも二つのノズルを同時に閉鎖するので、ノズルごとに駆動機構を設ける必要がない。
【００１０】
本発明の一態様では、前記開閉体は、軸方向に間隔を開けて設けられた複数のノズルを個別に閉鎖する個別体で構成されることが好ましい。
このようにすれば、個別体で構成された開閉体が複数のノズルを個別に閉鎖するので、駆動機構の制御を簡単なものにできる。
【００１１】
本発明の一態様では、前記開閉体は、軸方向に間隔を開けて設けられた複数のノズルのうち、下方域に設けられたもののみを閉鎖することが好ましい。
このようにすれば、タービン排気の凝縮に効率のよいノズルを開放したままにし、非効率なノズルのみを閉鎖するので、タービン排気を効率的に凝縮することができる。
【００１２】
本発明の一態様では、前記開閉体は、前記散水管本体に設けられた第１のノズルと重なる第１の貫通孔と、前記第１のノズルと前記第１の貫通孔とが重なった状態で、前記第１のノズルの上方域に設けられた第２のノズルと重なり、前記第１の貫通孔が前記第１のノズルから外れた状態でも前記第２のノズルと重なる第２の貫通孔と、を有することが好ましい。
このようにすれば、第２のノズルを開放した状態で第１のノズルだけを閉鎖できる。
【発明の効果】
【００１３】
以上説明したように、本発明によれば、駆動機構が開閉体を摺動させ、ノズルを開閉させるので、運転を中止しなくても冷却水の噴射するノズルの数量を減らすことができる。これにより、地熱蒸気の圧力や地熱蒸気の噴出量が減衰した場合に、復水器の運転を中止しなくても、冷却塔と復水器とを循環する冷却水の水量を減らすとともに、冷却水を噴射するノズルの数量を減らすことができる。これにより、復水器の運転を中止しなくても補機動力を削減できる。
【図面の簡単な説明】
【００１４】
【図１】本発明の実施の形態である直接接触式復水器を用いた地熱発電プラントを示す模式図である。
【図２】本発明の実施の形態に係る散水管の外観を示す模式図である。
【図３】本発明の実施の形態に係る散水管の構成を示す模式図である。
【図４】図３に示した散水管本体と開閉体との関係を示す図である。
【図５】図５は、図４に示したＶ−Ｖ線断面図である。
【図６】ノズルの開状態と閉状態とを示す図である。
【図７】本発明の実施の形態に係る開閉体の駆動機構を示す図である。
【発明を実施するための形態】
【００１５】
以下に添付図面を参照して、本発明に係る直接接触式復水器に好適な実施の形態を詳細に説明する。尚、この実施の形態によりこの発明が限定されるものではない。
【００１６】
まず、図１に基づいて本発明の実施の形態である直接接触式復水器を用いた地熱発電プラントの要部について説明する。尚、図１は、本発明の実施の形態である直接接触式復水器を用いた地熱発電プラントを示す模式図である。
【００１７】
地熱発電プラントは、地中深くに形成された地熱貯留層から生産井と称される井戸で蒸気を汲み出し、その蒸気の力でタービンを回して発電するものである。地熱貯留層は、火山帯の地下数キロメートルから数十キロメートルのところに発生したマグマ溜まりの近くに形成される。マグマ溜まりの周囲の岩石は、１０００°Ｃもの高温で熱せられ、この熱せられた岩石中に地表から雨水や地下水が割れ目を通って到達することにより、地熱貯留層が形成される。
【００１８】
図１に示すように、地熱発電プラントは、本発明の実施の形態である直接接触式復水器２のほか、気水分離器、減圧器、蒸気タービン３、発電機、冷却塔４を備えて構成される。地熱発電プラントでは、生産井で汲み出された蒸気が気水分離器や減圧器を通り蒸気タービン３に供給される。蒸気タービン３に供給された蒸気はタービン（図示せず）を回転させ、タービンと同軸に設けられた発電機が電気を発生させる（発電）。一方、蒸気タービン３から排出された排気（以下の説明において「タービン排気」という）は、本発明の実施の形態である直接接触式復水器２に導入され、タービン排気に含まれる蒸気は凝縮され水となり、回収水管１１を通り冷却塔４に回収される。他方、冷却塔４に回収された水はタンク４１で冷却された後、一部は冷却水として供給水管１２を通り本発明の実施の形態である直接接触式復水器２に供給され、一部は還元井と称される井戸で地中深くに戻される。
【００１９】
本発明の実施の形態に係る直接接触式復水器２は、復水器本体２１、散水母管２２、複数の散水管２３を備えて構成される。
復水器本体２１は、内部空間が設けられた胴と称される箱形の密閉容器であり、真空状態に維持される。また、復水器本体２１は、蒸気タービン３に接続され、蒸気タービン３から内部空間の上方域にタービン排気が導入される。一方、内部空間の下方域には、凝縮された水が貯まるホットウェル（ピット）２１１が設けられる。ホットウェル２１１には、上述した回収水管１１が接続される。回収水管１１の途中には、ポンプ１１１が設けられ、ホットウェル２１１に貯められた水は、回収水管１１を通り汲み上げられ、冷却塔４に回収される。一方、冷却塔４に設けられたタンク４１に貯えられた冷却水は、水頭差によって供給水管１２を通り、真空状態に維持された復水器本体２１に供給される。
また、復水器本体２１には、ガス排出管２１２が設けられる。ガス排出管２１２は、蒸気が凝縮されたタービン排気を排出するためのもので、蒸気が凝縮されたタービン排気はガス排出管２１２を通り、ガス排出口２１２ａから外部に排出される。
【００２０】
散水母管２２は、複数の散水管２３に冷却水を供給するためのもので、散水母管２２は内部空間の下方域に設置される。散水母管２２は、上述した供給水管１２に接続され、冷却塔４から供給水管１２を通り直接接触式復水器２に供給された冷却水は、散水母管２２に供給される。
【００２１】
図２は、本発明の実施の形態に係る散水管の外観を示す模式図である。
図２に示すように、複数の散水管２３は、復水器本体２１の内部空間に導入されたタービン排気に冷却水を噴射するためのもので、散水母管２２から分岐し、復水器本体２１の内部空間に立設されている。これにより、複数の散水管２３のそれぞれは、復水器本体２１の内部空間において下方域から上方域に向けて延びている。
【００２２】
図３は、本発明の実施の形態に係る散水管の構成を示す模式図である。図４は、図３に示した散水管本体と開閉体との関係を示す図であり、図５は、図４に示したＶ−Ｖ線断面図である。図６は、ノズルの開状態と閉状態とを示す図である。
【００２３】
本発明の実施の形態に係る散水管２３は、軸方向に複数設けられたノズル２４を段階的に閉鎖可能とするもので、図３に示すように、散水管本体２５と開閉体２６とにより構成されている。図２及び図３に示すように、散水管本体２５の外周には軸方向（上下方向）に複数のノズル２４が設けられている。複数のノズル２４は、復水器本体２１に導入されたタービン排気に万遍なく均等に冷却水を噴射するためのもので、図２に示すように、散水管本体２５の軸方向に所定の間隔で複数段にわたって設けられている。尚、所定の間隔は、タービン排気に万遍なく均等に冷却水を噴射できれば、一定の間隔に限られるものではない。また、複数段は、例えば、八段〜十段程度の多数の段である。また、複数のノズル２４は、図２に示すように、散水管本体２５の軸方向（上下方向）に千鳥配置されてもよいが、図３に示すように、軸方向に一直線上に配置されるものでもよい。また、複数のノズル２４は、散水管本体２５の周方向（周回方向）に所定の角度差を有するものであってもよく、複数のノズル２４を下方から上方に順に辿ったときに螺旋を描くものであってもよい。
【００２４】
ノズル２４は、冷却水を霧滴状に微細化した状態で噴射することが可能であり、復水器本体２１の内部空間に導入された冷却水が均等に噴射され、タービン排気に含まれる水蒸気は効率的に凝縮される。
【００２５】
図４及び図５に示すように、開閉体２６は、散水管本体２５に設けられたノズル２４を開閉するためのもので、図５に示すように、散水管本体２５の内径よりもわずかに小さな外形を有する円筒状の円管で構成され、散水管本体２５の内部を軸方向（上下方向）に摺動可能に収容されている。また、散水管本体２５と開閉体２６との間には回り止め（図示せず）が設けられ、散水管本体２５の内部を開閉体２６が軸方向に摺動しても開閉体２６が周方向に回ることはない。尚、開閉体２６は、鋼材のほか、ＦＲＰ（Ｆｉｂｅｒ  Ｒｅｉｎｆｏｒｃｅｄ  Ｐｌａｓｔｉｃ）等の樹脂製材料で構成してもよい。また、開閉体２６は、図３に示すように、散水管本体２５の軸方向に所定の間隔で設けられた複数のノズル２４（具体的には、三つのノズル２４Ａ，２４Ｂ，２４Ｃ）に対して一つ設けるが、これに限られるものではなく、ノズル２４ごとに設けるものでもよい。また、二つのノズル２４Ａ，２４Ｂに対して一つの開閉体２６でノズル２４を開閉するものとしてもよいし、四つ以上のノズル２４Ａ，２４Ｂ，２４Ｃ・・・に対して一つの開閉体２６でノズル２４を開閉するものとしてもよい。
【００２６】
図３に示すように、開閉体２６の側面には散水管本体に設けられたノズル２４Ａ，２４Ｂ，２４Ｃを開放する貫通孔２７Ａ，２７Ｂ，２７Ｃがノズル２４Ａ，２４Ｂ，２４Ｃごとに設けられている。ノズル２４Ａ，２４Ｂ，２４Ｃごとに設けられた貫通孔２７Ａ，２７Ｂ，２７Ｃは、散水管本体２５に設けられたノズル２４Ａ，２４Ｂ，２４Ｃを下から順に段階的に閉鎖可能とするもので、少なくとも散水母管２２に近い基部側の複数のノズル２４Ａ，２４Ｂ，２４Ｃは開閉体２６の軸方向（上下方向）に異なる長さを有する。本実施の形態では、図３に示すように、基部側の少なくとも三つのノズル２４Ａ，２４Ｂ，２４Ｃに対応する貫通孔２７Ａ，２７Ｂ，２７Ｃが異なる長さを有する。具体的には、基準となる貫通孔よりも上方となる貫通孔のほうが軸方向に長くなる長さを有する。すなわち、開閉体の下から二段目の貫通孔２７Ｂは最下段の貫通孔２７Ａよりも軸方向に長く、下から三段目の貫通孔２７Ｃは下から二段面の貫通孔２７Ｂよりも軸方向に長い。
【００２７】
図６（ａ）に示すように、開閉体２６の最下段に設けられた貫通孔２７Ａは、散水管本体２５の基部側最下段に設けられたノズル２４Ａと重なる位置に設けられる。最下段に設けられた貫通孔２７Ａは、ノズル２４Ａの内径よりもやや大きな円形の貫通孔であって、最下段に設けられた貫通孔２７Ａが散水管本体２５の基部側最下段に設けられたノズル２４Ａと重なることにより、図４及び図５に示すように、開閉体２６の内部と散水管本体２５の外部とが連通され、散水管本体２５の基部側最下段に設けられたノズル２４Ａが開放される。一方、図６（ｂ）に示すように、開閉体２６の最下段に設けられた貫通孔２７Ａが散水管本体２５の基部側最下段に設けられたノズル２４Ａよりも上方に外れることにより、開閉体２６の内部と散水管本体２５の外部とが遮断され、散水管本体２５の基部側最下段に設けられたノズル２４Ａが閉鎖される。
【００２８】
図３（ａ）に示すように、開閉体２６の下から二段目に設けられた貫通孔２７Ｂは、最下段に設けられた貫通孔２７Ａが散水管本体２５の基部側最下段に設けられたノズル２４Ａと重なる状態で、散水管本体２５の基部側二段目に設けられたノズル２４Ｂと重なる位置に設けられる。下から二段目に設けられた貫通孔２７Ｂは、ノズル２４Ｂの内径よりもやや大きく、下方に延びる長円形の貫通孔であって、図３（ａ）及び（ｂ）に示すように、下から二段目に設けられた貫通孔２７Ｂが散水管本体２５の基部側二段目に設けられたノズル２４Ｂと重なることにより、開閉体２６の内部と散水管本体２５の外部とが連通され、ノズル２４Ｂが開放される。一方、図３（ｃ）に示すように、下から二段目に設けられた貫通孔２７Ｂが散水管本体２５の基部側二段目に設けられたノズル２４Ｂよりも上方に外れることにより、開閉体２６の内部と散水管本体２５の外部とが遮断され、ノズル２４Ｂが閉鎖される。
【００２９】
したがって、図３（ａ）に示すように、開閉体２６の最下段に設けられた貫通孔２７Ａが散水管本体２５の基部側最下段に設けられたノズル２４Ａと重なる状態で、開閉体２６の下から二段目に設けられた貫通孔２７Ｂが散水管本体２５の基部側二段目に設けられたノズル２５Ｂと重なる。これにより、散水管本体２５の基部側最下段に設けられたノズル２４Ａと基部側二段目に設けられたノズル２４とが開放される。
【００３０】
一方、図３（ｂ）に示すように、開閉体２６の最下段に設けられた貫通孔２７Ａが散水管本体２５の基部側最下段に設けられたノズル２４Ａよりも上方に外れた状態でも、開閉体２６の下から二段目に設けられた貫通孔２７Ｂが散水管本体２５の基部側二段目に設けられたノズル２４Ｂと重なる状態を維持する。これにより、散水管本体２５の基部側最下段に設けられたノズル２４Ａが閉鎖された状態で、散水管本体２５の基部側二段目に設けられたノズル２４Ｂが開放された状態を維持する。
【００３１】
図３（ａ）に示すように、開閉体２６の下から三段目に設けられた貫通孔２７Ｃは、最下段に設けられた貫通孔２７Ａが散水管本体２５の基部側最下段に設けられたノズル２４Ａと重なる状態で、散水管本体２５の基部側三段目に設けられたノズル２４Ｃと重なる位置に設けられる。下から三段目に設けられた貫通孔２７Ｃは、ノズル２４Ｃの内径よりもやや大きく、下方に延びる長円形の貫通孔であって、図３（ａ）に示すように、下から二段目に設けられた貫通孔２７Ｂよりも下方に延びている。図３（ａ）〜（ｃ）に示すように、下から三段目に設けられた貫通孔２７Ｃが散水管本体２５の基部側三段目に設けられたノズル２４Ｃと重なることにより、開閉体２６の内部と散水管本体２５の外部とが連通され、ノズル２４Ｃが開放される。一方、下から三段目に設けられた貫通孔２７Ｃが散水管本体２５の基部側三段目に設けられたノズル２４Ｃよりも上方に外れることにより、開閉体２６の内部と散水管本体２５の外部とが遮断され、ノズル２４Ｃが閉鎖される。
【００３２】
したがって、図３（ａ）に示すように、開閉体２６の最下段に設けられた貫通孔２７Ａが散水管本体２５の基部側最下段に設けられたノズル２４Ａと重なる状態で、開閉体２６の下から三段目に設けられた貫通孔２７Ｃが散水管本体２５の基部側三段目に設けられたノズル２４Ｃとが重なる。また、この状態で、開閉体２６の下から二段目に設けられた貫通孔２７Ｂが散水管本体２５の基部側二段目に設けられたノズル２４Ｂと重なる。
【００３３】
また、図３（ｂ）に示すように、開閉体２６の最下段に設けられた貫通孔２７Ａが散水管本体２５の基部側最下段に設けられたノズル２４Ａよりも上方に外れた状態でも、開閉体２６の下から二段目に設けられた貫通孔２７Ｂが散水管本体２５の基部側二段目に設けられたノズル２４Ｂと重なる状態では、開閉体２６の下から三段目に設けられた貫通孔２７Ｃが散水管本体２５の基部側三段目に設けられたノズル２４Ｃと重なる。これにより、最下段のノズル２４Ａを閉鎖した状態で、下から二段目と三段目のノズル２４Ｂ，２４Ｃを開放することができる。
【００３４】
さらに、図３（ｃ）に示すように、開閉体２６の下から二段目に設けられた貫通孔２７Ｂが散水管本体２５の基部側二段目に設けられたノズル２４Ｂよりも上方に外れた状態でも、開閉体２６の下から三段目に設けられた貫通孔２７Ｃが散水管本体２５の基部側三段目に設けられたノズル２４Ｃと重なる。これにより、最下段と下から二段目のノズル２４Ａ，２４Ｂを閉鎖した状態で、下から三段目のノズル２４Ｃを開放することができる。
【００３５】
また、開閉体２６の下から三段目に設けられた貫通孔２７Ｃが散水管本体２５の基部側三段目に設けられたノズル２４Ｃよりも上方に外れた状態では、最下段、下から二段目、下から三段目のノズル２４Ａ，２４Ｂ，２４Ｃを閉鎖することができる。
【００３６】
図３に示す例では、散水管本体２５に設けられた複数のノズル２４を開閉体２６が下方から一つずつ順に段階的に閉鎖するものとしたが、これに限られるものではなく、下方から順に段階的に閉鎖するものであれば、複数のノズル２４（例えば、二つのノズル２４）をまとめて閉鎖するものとしてもよい。
【００３７】
また、図３には、散水管本体２５の基部側四段目から上方のノズル２４を開閉する開閉体（図示せず）を示さないが、開閉体を設けることなく、散水管本体２５の基部側四段目から上方のノズル２４は常時開放としてもよい。これは、散水管本体２５の下方域のノズル２４を閉鎖し上方域のノズル２４を開放したほうが凝縮効率が良いからである。また、開閉体を設ける場合でも、散水管本体２５の基部側四段目から上方のノズルは同時に閉鎖するようにしてもよい。これは、散水管本体２５の下方域のノズル２４の閉鎖で冷却水を噴射するノズル２４の数量を下から順に段階的に減らすことができ、上方域のノズルの閉鎖で冷却水を噴射するノズルの数量を段階的に減らす必要が認められないからである。
【００３８】
図７は、本発明の実施の形態に係る開閉体の駆動機構を示す図である。
図７に示すように、開閉体２６の下方域となる散水管本体２５の内側には、駆動機構２８が備えられている。駆動機構２８は、ノズル２４を開閉するためのもので、開閉体２６を上方位置に摺動させることによりノズル２４を閉塞し、開閉体２６を元の位置（下方位置）に摺動させることによりノズル２４を開放する。
【００３９】
駆動機構２８は、任意のものが採用可能であるが、例えば、図７に示すように、開閉体２６を上方位置に摺動させるカム２８１とカム２８１を回転させるモータ（駆動源）（図示せず）とにより構成してもよいし、開閉体２６を上方位置に摺動させるカム２８１とカム２８１を回転させるハンドル（駆動源）（図示せず）とにより構成してもよい。尚、駆動機構２８は、カム２８１とモータ、カム２８１とハンドルに限られるものではなく、リンク等既知のもの、または既知のものを組み合わせて構成してもよい。
【００４０】
本発明の実施の形態である直接接触式復水器２は、長年の運用により開業当初よりも地熱蒸気の圧力や地熱蒸気の噴出量が減衰した場合には、冷却塔４と直接接触式復水器２とを循環する水量を減らすとともに、冷却水を噴射するノズル２４の数を減らし、補機動力を削減することが好ましい。
この場合に、本発明の実施の形態である直接接触式復水器２は、散水管２３の軸方向に複数設けられたノズル２４を最下段から順に段階的に閉鎖する。
【００４１】
具体的には、駆動機構２８を操作し、散水管本体２５に収容された開閉体２６を上方に移動させる。開閉体２６を上方に移動させると、開閉体２６の最下段に設けられた貫通孔２７Ａが散水管本体２５の基部側最下段に設けられたノズル２４Ａよりも上方に外れることにより、開閉体２６の内部と散水管本体２５の外部とが遮断され、散水管本体２５の基部側最下段に設けられたノズル２４Ａが閉塞する（図３（ｂ）参照）。これにより、冷却水を噴射するノズル２４の数が減り、補機動力を削減できる。
【００４２】
さらに、地熱蒸気の圧力や地熱蒸気の噴出量に対して直接接触式復水器２の復水能力が上回る場合には、駆動機構２８を操作し、散水管本体２５に収容された開閉体２６を更に上方に移動させる。開閉体２６をさらに上方に移動させると、開閉体２６の下から二段目に設けられた貫通孔２７Ｂが散水管本体２５の基部側二段目に設けられたノズル２４Ｂよりも上方に外れることにより、開閉体２６の内部と散水管本体２５の外部とが遮断され、散水管本体２５の基部側二段目に設けられたノズル２４Ｂが閉塞する（図３（ｃ）参照）。これにより、冷却水を噴射するノズル２４の数が減り、補機動力を削減できる。
【００４３】
このように散水管２３の軸方向に複数設けられたノズル２４を最下段から段階的に閉鎖することにより、冷却水を噴射するノズル２４の数を減らすことができる。
【００４４】
以上説明したように、本発明の実施の形態である直接接触式復水器２によれば、散水管本体２５に摺動可能筒状に形成され、ノズル２４を開閉する開閉体２６を有するので、冷却水を噴射するノズル２４の数量を減らすことができる。
また、運転を中止することなくノズル２４を閉鎖することができるので、地熱蒸気の圧力や地熱蒸気の噴出量が減衰した場合には、復水器の運転を中止することなく、冷却塔４と直接接触式復水器２６とを循環する冷却水の水量を減らすとともに、冷却水を噴射するノズル２４の数量を減らし、補機動力を削減することができる。
【００４５】
また、ポンプ１１１のトリップ時に開閉体２６がノズル２４を閉鎖すれば、ウォータインジェクション（蒸気タービン３に冷却水が流れ込む事態）を抑制することができる。
【００４６】
また、開閉体２６をＦＲＰ等の樹脂製材料で構成した場合には、開閉体２６が軽量となるので、駆動機構２８を比較的容易に構成できる。また、ＦＲＰ等の樹脂製材料は、耐腐食性に優れているので、開閉体２６の腐食を考慮しなくてもよい。
【００４７】
尚、上述した実施の形態では、開閉体２６を散水管本体２５に収容するものとしたが、開閉体を散水管本体２５の外周を摺動するように設けても良い。このようにすれば、駆動機構を容易に設けることができ、駆動機構の操作も容易なものになる。
【産業上の利用可能性】
【００４８】
本発明に係る直接接触式復水器は、運転を中止しなくても、冷却水を噴射するノズルの数量を減らすことができるので、長年の運用により開業当初よりも地熱蒸気の圧力や地熱蒸気の噴出量が減衰することがある地熱発電プラントに設置される直接接触式復水器に好適である。
【符号の説明】
【００４９】
１１    回収水管
１１１    ポンプ
１２    供給水管
２    直接接触式復水器
２１    復水器本体
２１１    ホットウェル
２１２    ガス排出管
２１２ａ    ガス排出口
２２    散水母管
２３    散水管
２４    ノズル
２５    散水管本体
２６    開閉体
２７    貫通孔
３    蒸気タービン
２８    駆動機構
２８１    カム
４    冷却塔
４１    タンク
【図１】
2015121368.tif 000003
【図２】
2015121368.tif 000004
【図３】
2015121368.tif 000005
【図４】
2015121368.tif 000006
【図５】
2015121368.tif 000007
【図６】
2015121368.tif 000008
【図７】
2015121368.tif 000009